(57)【要約】【課題】腰を刺激することなく寝返りにも対応することが可能な腰枕を提供する。【解決手段】就寝時に腰に巻き付けて使用する腰枕１であって、腰部５１に巻き付け可能な長尺状に形成され、長手方向に伸縮性を有する本体２と、本体２に装着され、就寝時の腰部５１の生理的湾曲部とマットレス６との間の間隙Ｄを埋める追従部材４とからなり、本体２は、面ファスナ２１によって腰部回りに合わせて巻き付け可能となされるとともに、この巻き付け状態で、前記本体２における前記腰部５１に当たるマットレス６側の面に、追従部材４を挿入可能な追従ポケッ２４０が設けられ、追従部材４は、追従ポケット２４０に挿入され、就寝時に寝返りした際の腰部５１の生理的湾曲部とマットレス６との間の間隙Ｄの変化に追従してその間隙Ｄを埋めることが可能な可変形材料によって形成されてなるものである。【選択図】図１
2017164303.tif 000002
【特許請求の範囲】
【請求項１】
就寝時に人体の腰部に巻き付けて使用する腰枕であって、
腰部に巻き付け可能な長尺状に形成され、長手方向に伸縮性を有する本体と、
本体に装着され、就寝時の腰部の生理的湾曲部とマットとの間の間隙を埋める追従部材とからなり、
本体は、係止具によって腰部回りに合わせて巻き付け可能となされるとともに、この巻き付け状態で、前記本体における前記腰部に当たるマット側の面に、追従部材を挿入可能な追従ポケットが設けられ、
追従部材は、追従ポケットに挿入され、就寝時に寝返りした際の腰部の生理的湾曲部とマットとの間の間隙の変化に追従してその間隙を埋めることが可能な可変形材料によって形成されてなることを特徴とする腰枕。
【請求項２】
本体に装着され、腰部を支持するサポート部材をさらに具備し、
前記本体における前記腰部に当たる人体側の面にサポート部材を挿入可能なサポートポケットが設けられ、
サポート部材は、サポートポケットに挿入され、その外側から本体が巻き付けられることで少なくとも胸椎１２番から腰椎４番までを固定可能な形状に形成されてなる請求項１に記載の腰枕。
【請求項３】
サポート部材には磁石が担持されてなる請求項１または２に記載の腰枕。
【請求項４】
追従部材は、弾性変形可能なエラストマーからなる請求項１ないし３の何れか一に記載の腰枕。
【請求項５】
追従部材は、弾性変形可能な多孔質に形成され、且つ三次元状の立体構造編物で成形されたマットからなる請求項１ないし３の何れか一に記載の腰枕。
【請求項６】
追従部材は、弾性変形可能な発泡体からなる請求項１ないし３の何れか一に記載の腰枕。
【請求項７】
追従部材は、袋材に詰められた粒状体からなる請求項１ないし３の何れか一に記載の腰枕。
【請求項８】
サポート部材は、少なくとも胸椎１２番から腰椎４番までを覆うことが可能な大きさに形成されたマットからなる請求項２ないし７の何れか一に記載の腰枕。
【請求項９】
サポート部材は、少なくとも胸椎１２番から腰椎４番までを覆うことが可能な形状に立体成形された成形体からなる請求項２ないし７の何れか一に記載の腰枕。
【発明の詳細な説明】
【技術分野】
【０００１】
本発明は、就寝時に腰部に取り付けて使用する腰枕に関するものである。
【背景技術】
【０００２】
従来より、就寝時に使用する腰枕としては、空気圧で高さ調整可能にすることで、マットと人体の生理的湾曲部との間隙を埋めて腰部をサポートするようになされたものが知られている（特許文献１参照）。
【０００３】
また、別の腰枕としては、クッションを重ねることによって、高さ調整することで、マットと人体の生理的湾曲部との間隙を埋めて腰部をサポートするようになされたものが知られている（特許文献２参照）。
【先行技術文献】
【特許文献】
【０００４】
【特許文献１】特開２００３−１６９８１９号公報
【特許文献２】特開２０１３−９０８８９号公報
【発明の概要】
【発明が解決しようとする課題】
【０００５】
しかし、就寝時には、必ずしも仰向けに寝ているとは限らず、寝返りをしたりするため、寝返りに追従してマットと人体の生理的湾曲部との間隙を埋めなければ、腰枕によって腰部をサポートできなくなり、腰痛を緩和することができない。したがって、特許文献２のように、人体に固定せず、マットに載置して使用するタイプの腰枕の場合、このような寝返りに追従できず、気付いた時には腰から外れているといった不都合を生じる。
【０００６】
一方、特許文献１のように人体に取り付けて使用する腰枕の場合、寝返りをすることによって、人体を支える支持面が変わるので、マットと人体の生理的湾曲部との間隙を埋めた状態から寝返りをすると、異なった方向の圧力が腰に刺激として加えられるために、腰枕が変形してマットと人体の生理的湾曲部との間隙を埋め直すことができなくなる。したがって、寝返りをする度に、腰が不自然な刺激を受けることになり、腰枕を使用しない方が腰痛を防止できることとなる。
【０００７】
本発明は係る実情に鑑みてなされたものであって、腰を刺激することなく寝返りにも対応することが可能な腰枕を提供することを目的としている。
【課題を解決するための手段】
【０００８】
上記課題を解決するための本発明に係る腰枕は、就寝時に人体の腰部に巻き付けて使用する腰枕であって、腰部に巻き付け可能な長尺状に形成され、長手方向に伸縮性を有する本体と、本体に装着され、就寝時の腰部の生理的湾曲部とマットとの間の間隙を埋める追従部材とからなり、本体は、係止具によって腰部回りに合わせて巻き付け可能となされるとともに、この巻き付け状態で、前記本体における前記腰部に当たるマット側の面に、追従部材を挿入可能な追従ポケットが設けられ、追従部材は、追従ポケットに挿入され、就寝時に寝返りした際の腰部の生理的湾曲部とマットとの間の間隙の変化に追従してその間隙を埋めることが可能な可変形材料によって形成されてなるものである。
【０００９】
上記腰枕は、本体に装着され、腰部を支持するサポート部材をさらに具備し、前記本体における前記腰部に当たる人体側の面にサポート部材を挿入可能なサポートポケットが設けられ、サポート部材は、サポートポケットに挿入され、その外側から本体が巻き付けられることで少なくとも胸椎１２番から腰椎４番までを固定可能な形状に形成されてなるものであってもよい。
【００１０】
上記腰枕において、サポート部材には磁石が１又は複数担持されていても良いのである。
【００１１】
上記腰枕において、追従部材は、弾性変形可能なエラストマーからなるものであってもよい。
【００１２】
上記腰枕において、追従部材は、弾性変形可能な多孔質に形成され、且つ三次元状の立体構造編物で成形されたマットからなるものであってもよい。
【００１３】
上記腰枕において、追従部材は、弾性変形可能な発泡体からなるものであってもよい。
【００１４】
上記腰枕において、追従部材は、袋材に詰められた粒状体からなるものであってもよい。
【００１５】
上記腰枕において、サポート部材は、少なくとも胸椎１２番から腰椎４番までを覆うことが可能な大きさに形成されたマットからなるものであってもよい。
【００１６】
上記腰枕において、サポート部材は、少なくとも胸椎１２番から腰椎４番までを覆うことが可能な形状に立体成形された成形体からなるものであってもよい。
【発明の効果】
【００１７】
本発明によれば、係止具によって腰部回りに合わせて本体を巻き付けることで、背骨を固定化することができる。そして、本体の長手方向における少なくとも一部が伸縮部材で形成されているので、寝返りの際、異なった方向の過度の圧力が腰に加わろうとしても前記伸縮部材が伸縮してその圧力を緩和するのである。したがって、この巻き付け状態で、本体における腰部に当たるマット側の面に設けられた追従ポケットに挿入した追従部材は、本体とともに腰部に固定されることなく、就寝時に寝返りした際の腰部の生理的湾曲部とマットとの間の間隙の変化に追従して変形し、その間隙を埋めることが可能となる。しかも、この変形の際に腰部は本体によって固定されているので、腰を刺激することなく、寝返りに対応して前記間隙を埋めることが可能となる。よって、優れた腰痛予防と快眠を得ることができる。
【図面の簡単な説明】
【００１８】
【図１】（ａ）は本発明に係る腰枕の全体構成の概略を示す内面側から見た斜視図、（ｂ）は同外面側から見た斜視図である。
【図２】（ａ）は図１の腰枕の側面図、（ｂ）はそのＡ−Ａ線拡大断面図である。
【図３】（ａ）は図１の腰枕を付けて仰向けに寝た状態の側面図、（ｂ）は同横向きに寝た状態の側面図である。
【図４】サポート部材の具体的形状の一例を示す斜視図である。
【図５】（ａ）ないし（ｄ）はそれぞれ追従部材の具体的形状の一例を示す斜視図である。
【図６】（ａ）は実施例１に係る腰枕の全体構成の概略を示す平面図、（ｂ）は同側面図、（ｃ）は（ｂ）のＡ−Ａ線拡大断面図である。
【図７】（ａ）は実施例２に係る腰枕の全体構成の概略を示す平面図、（ｂ）は同側面図、（ｃ）は同裏面図、（ｄ）は（ｂ）のＡ−Ａ線拡大断面図である。
【図８】（ａ）は実施例３に係る腰枕の全体構造の概略を示す平面図、（ｂ）は同側面図（ｃ）は同裏面図、（ｄ）は（ｂ）のＡ−Ａ線拡大断面図である。
【発明を実施するための形態】
【００１９】
以下、本発明を実施するための形態（実施形態）を図面に基づいて詳細に説明するが、本発明はこの実施形態に限定されるものではない。
【００２０】
図１は本発明に係る腰枕１の一実施形態を示し、図２において、（ａ）は同腰枕１の側面図、（ｂ）はそのＡ−Ａ線拡大断面図を示し、図３は同腰枕１の使用状態を示す。この腰枕１は、本体２と、サポート部材３と、追従部材４とを具備して構成されている。
【００２１】
本体２は、図１及び図３に示すように、人体５の腰部５１に巻き付け可能な長尺状に形成され、長手方向に沿った全体、または人体５の腰部５１に対応することとなる部分を除く他の部分が、伸縮性を有する素材によって構成されている。また、本体２は、当該本体２を人体５の腰部５１に巻き付けた状態で、重ね合されることとなる一端部の内面と他端部の外面との間にそれぞれ係止具としての面ファスナ２１のループテープとフックテープとが設けられており、この面ファスナ２１によって人体５の腰部５１に合わせて長さ調節して人体５の腰部５１に巻き付けることができるようになされている。
【００２２】
また、本体２は、人体５の腰部５１に巻き付けた状態で、腰部５１に対応することとなる少なくとも中央部が、胸椎１２番から腰椎４番までを覆うことができる大きさ、または胸椎１２番から下の腰椎全て、あるいは生理的湾曲部の前湾部の頂部から後湾部の頂部までの腰部５１の全てを覆うことができる大きさに形成されていることが好ましい。しがって、この本体２としては、長さ約８０〜１５０ｃｍ、幅約１０〜３０ｃｍの大きさに形成することができる。なお、本発明において、係止具としては、前記した面ファスナ２１の他、スナップボタン、バックル等が挙げられる。
【００２３】
更に、前記本体２は、図２及び図３に示すように、人体２の腰部５１に巻き付けた状態で、腰部５１に対応することとなる少なくとも中央部が、基材２２と内層２３と外層２４との３層構造となるように構成されている。また、内層２３の長手方向の一端側には、幅方向にポケット口２３ａが設けられており、その内部は、基材２２と内層２３とによって形成されたサポートポケット２３０を形成するようになされている。同じく、外層２４の長手方向の一端側には、幅方向にポケット口２４ａが設けられており、その内部は、基材２２と外層２４とによって形成された追従ポケット２４０を形成するようになされている。
【００２４】
なお、前述のポケット口２３ａおよび２４ａは、被せのフラップが設けられて閉じることができるようになされていてもよいし、ファスナや面ファスナによって、当該ポケット口２３ａおよび２４ａが開かないようになされていてもよい。また、幅方向にポケット口２３ａおよび２４ａが設けられており、しかも、長手方向にサポートポケット２３０および追従ポケット２４０が形成されている。
【００２５】
前記サポートポケット２３０は、人体５の腰部５１に巻き付けた状態で、背骨とその両側の脊柱起立筋までに対応した大きさに形成されたものであってもよいし、背骨とその両側の骨盤の幅全体を固定する大きさに形成されたものであってもよい。このサポートポケット２３０の具体的な大きさとしては、本体２の中央部の長手方向に約１０ｃｍ〜５０ｃｍの大きさとなるように形成されたものを使用することができる。
【００２６】
前記追従ポケット２４０は、図３に示すように、人体５の腰部５１に巻き付けた状態で、マットレス６と人体５の生理的湾曲部とによって形成される間隙Ｄに対応する位置に設けられる。この間隙Ｄは、マットレス６に対して人体５が仰向けになった状態であるか、横向きになった状態であるかによって変化するため、少なくともサポートポケット２３０と同じ大きさかまたは長手方向にさらに大きく形成されたものであることが望ましい。追従ポケット２４０の具体的な大きさとしては、本体２の中央部の長手方向に１０ｃｍ〜７０ｃｍの大きさとなるように形成されたものであってもよい。
【００２７】
なお、本体２において、内層２３と外層２４は、サポート部材３および追従部材４を挿入するための、サポートポケット２３０および追従ポケット２４０を設けるためのものである。したがって、内層２３および外層２４は、上記したサポート部材３および追従部材４に対応したサポートポケット２３０および追従ポケット２４０の範囲に相当する部分にだけ設けられ、その他の部分は基材２２だけで構成されたものであってもよい。
【００２８】
また、前述のサポートポケット２３０は、人体の腰部５１に本体２を巻き付けた状態で、当該サポートポケット２３０に挿入されるサポート部材３によって腰部５１を支持固定したり、または外部刺激から緩衝するためのものである。したがって、本体２は、サポートポケット２３０に挿入したサポート部材３によって腰部５１を支持固定する場合は、基材２２および内層２３のサポートポケット２３０に対応した部分が伸縮性の無い素材から構成されたものであることが好ましい。また、サポートポケット２３０に挿入したサポート部材３によって腰部５１を外部刺激から緩衝する本体２の場合は、基材２２および内層２３のサポートポケット２３０に対応した部分が弾力性を有する素材から構成されたものであることが好ましい。一方、追従ポケット２４０は、人体５の腰部５１に本体２を巻き付けた状態で、当該追従ポケット２４０に挿入される追従部材４によってマットレス６と人体５の生理的湾曲部とによって形成される間隙Ｄに追従して可撓変形し、その間隙Ｄを埋めるものである。したがって、本体２は、外層２４に対応した部分が、間隙Ｄの変化に追従できるように可撓性を有する素材から構成されたものであることが好ましい。また、ポケットに対応する部分だけが幅広く形成された構成であってもよい。
【００２９】
前記本体２において、伸縮性を有する部分は、例えば、編組織によって伸縮性を持たせるものであってもよいし、伸縮性を有する繊維を用いて編組織を構成することで伸縮性を持たせるものであってもよいし、一部をゴムベルトなどで構成することで伸縮性を持たせるものであってもよい。伸縮性の無い部分は、例えば、織組織によって伸縮性を無くするものであってもよいし、伸縮性の無い繊維を用いて織組織を構成することで伸縮性を無くするものであってもよい。
本発明においては、用途に応じてスパンボンド不織布が好適に用いられる。
【００３０】
前記サポート部材３は、サポートポケット２３０に挿入可能な大きさに形成されている。このサポート部材３は、人体５の腰部５１に本体２を巻き付けた状態で、人体５の腰部５１と本体２との間に介在して、腰部５１を支持固定する、または外部からの刺激に対して腰部５１を保護するように緩衝材の役割を果たすようになされている。
【００３１】
したがって、サポート部材３は、本体２を巻き付けることによって人体５に本体２が圧接されることで、腰部５１に密着して当該腰部５１を支持固定する、または外部からの刺激に対して緩衝することができるような素材で構成されていることが好ましい。
【００３２】
このようなサポート部材３としては、具体的には、例えば、５ｍｍ〜２０ｍｍの適宜の厚みを有し、人体５に本体２が圧接されることによって適宜に圧縮されて腰部５１に密着するように構成された不織布や織布などの多孔質体で形成された立体構造のマット、発泡体、高反発エラストマーなどの支持固定材または緩衝材を使用することができる。また、例えば、図４に示すように、腰部５１の形状に合わせて立体的に形成された略波形の成形体３ａであってもよい。この場合、成形体３ａは、金属、樹脂、ゴム、木、紙、繊維などの各種材料によって立体的に形成された、支持固定用の硬質のもの、または緩衝用の変形可能なものであってもよい。
【００３３】
また、人体５の腰部５１に密着するため、通気性を有するように多孔質に形成されたものであってもよい。更に、腰部５１に密着する範囲、すなわち、サポート部材３の大きさとしては、少なくとも胸椎１２番から腰椎４番までを覆うことができる大きさ、または胸椎１２番から下の腰椎全て、あるいは生理的湾曲部の前湾部における頂部から後湾部の頂部までの腰部５１の全てを覆うことができる大きさに形成されていることが好ましい。特に、胸椎１２番は、背骨に対して骨盤を固定することとなる、腰方形筋の停止部分、大腰筋および小腰筋の起始部分が付着する位置であり、胸椎１２番から腰椎４番までは、背骨と肋骨との間を固定する、下後鋸筋の停止部分が付着する位置であるため、少なくともこれらの位置を固定することは、腰痛予防に適する。具体的には、人体５の高さ方向に１０ｃｍ〜３０ｃｍ、人体５の幅方向に１０ｃｍ〜５０ｃｍの範囲の大きさに形成される。
【００３４】
また、立体的に形成した成形体３ａの場合、例えば、個々の腰部５１の形状、例えば、胸椎１２番から下の腰椎全ての腰部５１の周辺形状に合致するように、ドライヤーの熱で形状変形させて腰部５１の形状に合わせることができるようになされた熱可塑性材料からなる成形体３ａであってもよい。
【００３５】
サポート部材３として、人体５の腰部５１を支持固定するタイプのものを使用する場合は、本体２は、サポート部材３とともに腰部５１を支持固定できるように伸縮性の無いものを使用する。また、サポート部材３として、人体５の腰部５１を外部刺激から緩衝するタイプのものを使用する場合は、本体２は、伸縮性又は弾力性を有するものを使用する方が好ましい。
【００３６】
追従部材４は、追従ポケット２４０に挿入可能な大きさに形成されている。この追従部材４は、人体５の腰部５１に本体２を巻き付けた状態で、人体５の腰部５１とマットレス６との間隙Ｄに追従して変形し、この間隙Ｄを埋めるようになされている。したがって、寝返りをしても人体５の腰部５１とマットレス６との間隙Ｄの変更に追従して容易に変形し、かつ、ある程度、腰部５１を支持してマットレス６並みの反発力を有することができるような素材で構成されていることが好ましい。このような追従部材４としては、具体的には、例えば、図５（ａ）に示すように、生理的湾曲に沿った断面円弧状で適宜の厚みを有し、腰部５１とマットレス６との間で若干圧縮されて、この間隙Ｄを埋めることができるように構成された、かまぼこ形の成形体４ａであってもよい。このような成形体４ａとしては、三次元状の立体構造編物で形成されたマット、不織布、織布、発泡体又は低反発エラストマーで形成されたマット、或いは袋詰めされた粒状体などを使用できる。この場合、この粒状体としては、樹脂製ビーズ、蕎麦殼、木片など、通常の枕に使用されている各種の材料を使用することができる。
【００３７】
また、前記成形体４ａは、かまぼこ形に形成されているが、図５（ｂ）に示すように、幅の異なるマット状のものを階段状に重ねあわせて間隙Ｄの断面形状に合致するように形成した成形体４ｂであってもよい。さらに、図５（ｃ）に示すように、複数に分割され、それぞれが独立して圧縮されて間隙Ｄを埋めることができるようになされた複数のドット状の成形体の集合体４ｃによって構成されたものであってもよい。また、前記したサポート部材３のように人体５の腰部５１に密着することにはならないが、サポート部材３とともに通気性を確保するために、多孔質に形成されたものであってもよい。
【００３８】
前記間隙Ｄを埋める範囲、すなわち、追従部材４の大きさとしては、少なくとも前記したサポート部材３と同じかそれよりも大きい範囲のもの、又は、マットレス６に対して人体５が仰向けになった状態から、横向きになった状態までの範囲でマットレス６と腰部５１との間隙Ｄを埋めることができる形状に形成されたものであることが好ましい。
【００３９】
前記追従部材４の大きさとしては、人体５の高さ方向に１０ｃｍ〜３０ｃｍ、人体５の幅方向に１０ｃｍ〜７０ｃｍの大きさに形成される。また、図５（ｄ）に示すように、仰向けから横向きまでに対応して人体５の腰部５１に沿うように直線状の低段部が複数成形された追従部材４ｄであってもよい。
【００４０】
このようにして構成される腰枕１を使用する場合、使用者は、人体５の腰部５１に本体２を巻き付け、面ファスナ２１によって当該本体２を腰部５１に固定してそのまま寝ることができる。
【００４１】
この状態で人体５の腰部５１には、本体２が圧着され、当該本体２によって腰部５１は支持固定される。またこの状態で、追従部材４は、本体２の外側に設けられているため、本体２によって人体５に締め付けられるようなことにはならないので、人体５の腰部５１とマットレス６との間隙Ｄに追従して容易に変形し、この間隙Ｄを埋めることが可能となる。また、仰向けに寝ている状態から寝返りをしても、追従部材４は、本体２とともに人体５に固定されることなく本体２の外側に設けられているので、腰部５１の生理的湾曲部とマットレス６との間隙の変化に追従して容易に変形してその間隙Ｄを埋めることが可能となる。しかも、この変形の際に腰部５１は、本体２によって固定されているので、腰を刺激することなく、容易に寝返りに対応して間隙Ｄを埋めることができる。よって、優れた快眠と腰痛予防を得ることができる。
【００４２】
なお、本実施の形態では、本体２と人体５との間、すなわち、本体２の内側に設けたサポートポケット２３０にサポート部材３を設けることで、人体５の腰部５１に本体２を巻き付けた際に、当該サポート部材３によって腰部５１を支持固定または外部刺激から緩衝するようになされているが、この本体２としては、サポート部材３を設ける位置に相当する部分の伸縮性を無くして人体５の腰部５１を支持固定できる程の強度に形成することで、サポート部材３を設けることなく、本体２のみによって腰部５１を支持固定するように構成してもよい。
【００４３】
［実施例１］
図６に示すように、幅１８ｃｍ、長さ１２６ｃｍで、長手方向に伸縮性を有するスパンボンド不織布によって基材２２、外層２４の２層構造からなる帯状の本体２を形成した。本体２の中央部の長さ８２ｃｍの範囲は、伸縮性の無い織組織の基材２２を用いて伸縮しないように加工した。基材２２と外層２４との間は、本体２の一端側の外層に、幅方向にポケット口２４ａを設け、このポケット口２４ａの内部に形成した追従ポケット２４０に、追従部材４を挿入できるように構成した。この追従ポケット２４０は、本体２の幅と同じ幅約１８ｃｍで、長さは、本体２の中央部から左右に４１ｃｍずつ、すなわち、８２ｃｍとした。本体２は、両端部近傍に設けた面ファスナ２１によって、図３に示すように、人体５の腰部５１に巻き付けた状態で固定できるように構成した。追従ポケット２４０に挿入される追従部材４としては、当該追従ポケット２４０の内部に挿入可能な大きさで厚さ約３ｃｍに形成された低反発ポリウレタンフォームを用いた。
【００４４】
このようにして構成した腰枕１を、図３（ａ）に示すように、人体５の腰部５１に巻き付けて固定し、仰向け状態となった。この状態で人体５の腰部５１の生理的湾曲部とマットレス６との間隙は、腰枕１の追従部材４によって埋められ、生理的湾曲部が沈み込むことは無かった。この状態のまま、図３（ｂ）に示すように、横向き寝に姿勢を変えてみたが、人体５の腰部５１の生理的湾曲部とマットレスとの間隙Ｄは、腰枕１の側部に位置する追従部材４によって埋められ、生理的湾曲部が歪むことは無かった。また、姿勢の変える過程で人体５を支持する支持面は、背中から側面へと移行するため、腰部５１には異なった方向から支持荷重が加わることとなるが、当該腰部５１には本体２が巻き付けられて固定されているため、腰部５１が刺激を受けて腰痛になるようなことは無かった。この腰枕１を付けたまま就寝したが、朝まで熟睡できた。
【００４５】
［実施例２］
図７に示すように、本体２を、スパンボンド不織布の内層２３と基材２２と外層２４とからなる３層構造に変えた他は、上記実施例１と同様となされた帯状の腰枕１を構成した。本体２の一端側の内層２３に、幅方向にポケット口２３ａを設け、このポケット口２３ａの内側に形成したサポートポケット２３０に、サポート部材３を挿入できるように構成した。このサポートポケット２３０は、本体２の幅と同じ幅約１８ｃｍで、長さは、本体２の中央部から左右に１２ｃｍずつ、すなわち、２４ｃｍとした。このサポートポケット２３０に挿入されるサポート部材３としては、胸椎１２番から腰椎４番までの背骨部分と、その両側の脊柱起立筋、腰方形筋および中臀筋等の形状に沿って立体成形され、全体にパンチングが施されて通気性が確保されたポリプロピレン製の樹脂成形体を用いた。
【００４６】
このようにして構成した腰枕１を、図３（ａ）に示すように、人体５の腰部５１に巻き付けて固定し、仰向け状態となった。この状態で人体５の腰部５１の生理的湾曲部とマットレス６との間隙Ｄは、腰枕１の追従部材４によって埋められ、生理的湾曲部が沈み込むことは無かった。この状態のまま、図３（ｂ）に示すように、横向き寝に姿勢を変えてみたが、人体５の腰部５１の生理的湾曲部とマットレス６との間隙Ｄは、腰枕１の側部に位置する追従部材４によって埋められ、生理的湾曲部が歪むことは無かった。また、姿勢の変える過程で人体５を支持する支持面は、背中から側面へと移行するため、腰部５１には異なった方向から支持荷重が加わることとなるが、当該腰部５１には本体２が巻き付けられ、かつ本体２と人体５との間の腰部５１にサポート部材３が密着して固定されているため、腰部５１が刺激を受けて腰痛になるようなことは無かった。この腰枕１を付けたまま就寝したが、朝まで熟睡できた。
【００４７】
［実施例３］
図８に示すように、本体２を、スパンボンド不織布の内層２３と基材２２と外層２４とからなる３層構造に変えると共に、両端部長手方向に面ファスナー２１を設けた他は、前記実施例２と同様となされた帯状の腰枕１を構成した。本体２の一端側の内層２３に、幅方向にポケット口２３ａを設け、このポケット口２３ａの内側に形成したサポートポケット２３０に、サポート部材３を挿入できるように構成した。このサポートポケット２３０は、本体２の幅と同じ幅約１８ｃｍで、長さは、本体２の中央部から左右に１２ｃｍずつ、すなわち、２４ｃｍとした。このサポートポケット２３０に挿入されるサポート部材３としては、計１１個の磁石Ｍをほぼ全体に散在させると共に、胸椎１２番から腰椎４番までの背骨部分と、その両側の脊柱起立筋、腰方形筋および中臀筋等の形状に沿って立体成形され、全体の通気性が確保されたポリプロピレン製の樹脂成形体を用いた。
【００４８】
このようにして構成した腰枕１を、図３（ａ）に示すように、人体５の腰部５１に巻き付けて固定し、仰向け状態となった。この状態で人体５の腰部５１の生理的湾曲部とマットレス６との間隙Ｄは、腰枕１の追従部材４によって埋められ、生理的湾曲部が沈み込むことは無かった。この状態のまま、図３（ｂ）に示すように、横向き寝に姿勢を変えてみたが、人体５の腰部５１の生理的湾曲部とマットレス６との間隙Ｄは、腰枕１の側部に位置する追従部材４によって埋められ、生理的湾曲部が歪むことは無かった。また、姿勢の変える過程で人体５を支持する支持面は、背中から側面へと移行するため、腰部５１には異なった方向から支持荷重が加わることとなるが、当該腰部５１には本体２が巻き付けられ、かつ本体２と人体５との間の腰部５１にサポート部材３が密着して固定されているため、腰部５１が刺激を受けて腰痛になるようなことは無く、しかも１０人の腰痛を訴える者にそれぞれ１４日間睡眠時に適用したところ、腰痛が解消（１０人中３人）ないし相当緩和（１０人中７人）されることが認められた。又、この腰枕１を付けたまま就寝したが、朝まで熟睡できた。
【産業上の利用可能性】
【００４９】
本発明においては、前述のとおり、就寝時の睡眠や寝返りを行っても、腰の刺激を緩和ないし無くすることができるので、優れた腰痛の予防ないし解消を図ることができる上、快眠を得ることができる結果、産業上の利用価値は極めて高いと認められる。
【符号の説明】
【００５０】
１  腰枕
２  本体
２１  面ファスナ（係止具）
２３０  サポートポケット
２４０  追従ポケット
３  サポート部材
４  追従部材
５  人体
５１  腰部
６  マットレス（マット）
Ｄ  間隙
Ｍ  磁石
【図１】
2017164303.tif 000003
【図２】
2017164303.tif 000004
【図３】
2017164303.tif 000005
【図４】
2017164303.tif 000006
【図５】
2017164303.tif 000007
【図６】
2017164303.tif 000008
【図７】
2017164303.tif 000009
【図８】
2017164303.tif 000010